(57)【要約】【課題】縦横に図柄のスクロール方向を切り換えることを可能とし、図柄の表示態様を向上させることのできる遊技機を提供すること。【解決手段】図柄表示手段は、複数の発光体を数字の８形状に配置した図柄表示単位部（例えば、Ａ１〜Ａ７）が、複数方向にずらして連結されると共に、互いに隣接する図柄表示単位部同士が重合部分を共用している構成とする。【選択図】              図２
2004242750.tif 000002
【特許請求の範囲】
【請求項１】
抽選手段による抽選結果を図柄の表示態様によって報知する図柄表示手段を備えた遊技機において、前記図柄表示手段は、複数の発光体を数字の８形状に配置した図柄表示単位部が、複数方向にずらして連結されると共に、互いに隣接する図柄表示単位部同士が重合部分を共用していることを特徴とする遊技機。
【発明の詳細な説明】
【０００１】
【発明の属する技術分野】
本発明は、抽選手段による抽選結果を図柄の表示態様によって報知する図柄表示手段を備えた遊技機に関する。
【０００２】
【従来の技術】
抽選手段による抽選結果を図柄の表示態様によって報知する図柄表示手段を備えた遊技機であって、図柄表示手段が、複数の発光体を数字の８形状に配列して図柄表示単位部が形成され、複数個の図柄表示単位部が縦方向にずらして連結されると共に、上下に隣り合う表示単位部同士にあっては、上側に配置された図柄表示単位部における数字の８形状の下半分の部分と、下側に配置された図柄表示単位部における数字の８形状の上半分の部分とが重合されて重合部分を共用している構成となっているものを備えた遊技機が公知である（例えば、特許文献１参照）。
【０００３】
このものによると、上下方向に変位しながら流れるように切り換わるため、表示及び表示の切り換わりが見やすく変化に富み、このため目標の表示で停止するかどうかの期待感が十分に高められる。しかしながら、上述の図柄表示手段は、上下方向のみに図柄を変位させることしかできないため、表示態様に限界があり、例えば、縦横にスクロール方向を切り換えたり、表示している図柄の大きさを通常時と拡大時とで切り換えたり、隣接している図柄表示部を複合させて装飾表示を行うようなことはできない。
【０００４】
【特許文献１】
特開平５−８４３５０号公報（段落００１７、段落００２３、段落００２４、図１、図１０、図１１）
【０００５】
【発明が解決しようとする課題】
本発明の目的は、縦横に図柄のスクロール方向を切り換えることを可能とし、図柄の表示態様を向上させることのできる遊技機を提供することにある。
【０００６】
【課題を解決するための手段】
請求項１に記載の遊技機は、抽選手段による抽選結果を図柄の表示態様によって報知する図柄表示手段を備えたものであって、上記課題を解決するために、前記図柄表示手段は、複数の発光体を数字の８形状に配置した図柄表示単位部が、複数方向、例えば、行方向及び列方向にずらして連結されると共に、互いに隣接する図柄表示単位部同士が重合部分を共用して網目状をなしていることを特徴とする。
【０００７】
なお、請求項１に記載のものにおいて、隣接する図柄表示単位部を協働して表示状態として前記図柄表示単位部の大きさを超えた大きさの図柄を表示する図柄拡大表示手段を備える構成とすることがある。この構成によれば、図柄の拡大表示が可能となり、例えば、リーチ状態等の特定の表示態様時に、図柄の視認性を向上させ、演出効果を高めることができる。
【０００８】
また、請求項１に記載のものにおいて、隣接する図柄表示単位部を協働して表示状態として前記図柄表示単位部以外の形状の装飾図柄を表示する装飾図柄表示手段を備える構成とすることがある。この構成によれば、隣接する図柄表示単位部を協働して表示状態として図柄表示単位部で表現できる図柄とは異なる異形の図柄を表現できるため、例えば、予告表示等を行う場合に、表現力を向上させ、演出効果を高めることができる。
【０００９】
【発明の実施の形態】
以下、本発明の実施の形態を図面を参照して説明する。図１は、本発明の遊技機の一実施形態に係るパチンコ遊技機に配備された制御系統の要部ブロック図である。電源装置１は、ＡＣ２４Ｖから、メイン制御装置２、サブ制御装置３、表示制御装置４、賞球制御装置５、発射制御装置６、図柄表示装置７の他、払出モータ８、発射モータ９、大入賞口ソレノイド１０、ランプ１１、スピーカ１２等の作動電源を生成して供給するものである。
【００１０】
本実施形態のパチンコ遊技機には、パチンコ遊技の総括的な制御を行うメイン制御装置２と、メイン制御装置２から送信されたコマンドに基いて、ランプ（装飾ランプ、装飾ＬＥＤ、表示ランプ、表示ＬＥＤ等）１１の点灯、点滅等の表示制御及びスピーカ１２から音を出す音声制御を実行するサブ制御装置３と、メイン制御装置２からサブ制御装置３を経由して送信されたコマンドを受けて図柄表示装置７に特別図柄や、例えば、大当り予告等のための演出表示を行う表示制御装置４と、メイン制御装置２から送信された賞球コマンドに基いて払出モータ８を駆動することで賞球の払出制御を行う賞球制御装置５と、タッチセンサ１３の検出信号を条件として、図示しない遊技盤面に向けて遊技球を発射するための打球発射装置（図示せず）の発射モータ９の動作制御を行う発射制御装置６とが配備される。
【００１１】
メイン制御装置２（主制御部）は図示しないメイン制御基板に配備される。メイン制御装置２は、パチンコ遊技に関わる総括的な制御を行うための処理実行手段としてのメインＣＰＵと、メインＣＰＵが実行するためのパチンコ遊技全体に関わる遊技制御プログラムや遊技制御プログラムの実行に必要となる予め定めた設定データが格納されているＲＯＭと、随時読み出しおよび書き込みが可能なＲＡＭと、各種入賞検出手段から送られた検出信号を受け付けてメインＣＰＵに入力可能とする一方、メインＣＰＵから外部装置に対して制御出力を可能とするための入出力インタフェースと、メインＣＰＵが周辺機器との間でデータ通信を行うための通信インタフェース等を含んで構成されている。なお、メイン制御装置２の具体的な構成については図示を省略する。
【００１２】
前記各種入賞検出手段としては、例えば、図示しない遊技盤面に設けられた始動口（図柄始動口）へ入賞した遊技球を検出する始動口入賞検出スイッチ（始動口センサともいう）、前記遊技盤面に設定されたゲート（図示せず）への遊技球の通過を検出するゲートセンサ、遊技盤面に設けられた電動役物装置（図示せず）に配備された大入賞口に入賞した遊技球を検出する大入賞口センサ（図示せず）、前記大入賞口内に設けられた特定領域へ入賞した遊技球を検出する特定領域センサ等がある。なお、図１においては各種入賞検出手段を入賞検出器１４として記載している。また、前記外部装置としては、前記大入賞口を開放させるための大入賞口ソレノイド１０等がある。なお、賞球制御装置５及び発射制御装置６については公知のものと同等であって、本発明の要旨とは直接に関連しないため、具体的な構成の図示や説明等を省略する。
【００１３】
メイン制御装置２とサブ制御装置３とは、メイン制御装置２からサブ制御装置３への一方向通信のみ可能に接続されている。サブ制御装置３は、ランプの点灯／点滅等の制御、音声制御、メイン制御装置２から送信されるコマンド受信及び表示制御装置４に対するコマンド送信を行うための処理実行手段としてのサブＣＰＵと、サブＣＰＵが実行するためのランプ点灯／点滅に関わる制御プログラム、音声発生に関わる制御プログラム、コマンド受信に関わる制御プログラム及びコマンド送信に関わる制御プログラム、これらの各種制御プログラムの実行に必要となる予め定めた設定データ（ランプの点灯パターン等や音データ）が格納されているＲＯＭと、随時読み出しおよび書き込みが可能なＲＡＭと、サブＣＰＵからの制御出力を可能とするための出力インタフェースと、サブＣＰＵがメイン制御装置２及び表示制御装置４との間でデータ通信を行うための通信インタフェース等を含んで構成されている。なお、サブ制御装置３の具体的な構成については図示を省略する。
【００１４】
サブ制御装置３にはランプ１１やスピーカ１２が接続されている。サブ制御装置３はメイン制御装置２から送信されるコマンド指令に従ってランプ１１を点灯駆動すると共にスピーカ１２より効果音や警報を発生する。また、サブ制御装置３は、メイン制御装置２から送信されたコマンドを受信すると、受信したコマンドが自己の行う制御に関係するコマンドの場合には、このコマンドを記憶すると共に表示制御装置４に送信する一方、受信したコマンドが自己の行う制御に関係しないコマンドの場合には、このコマンドをそのまま表示制御装置４に送信する。
【００１５】
表示制御装置４は、サブ制御装置３から送信されたコマンドに応じて図柄表示装置７の表示画面に、特別図柄（この実施形態では、左特別図柄、中特別図柄、右特別図柄の３種類とする）や装飾図柄、遊技進行に伴って変化する遊技情報（例えば、始動入賞に関わる保留状態や大当り遊技中の大入賞口への入賞数やラウンド数等）大当り遊技中の遊技情報表示や演出表示を各々表示制御するものである。
【００１６】
次に、請求項１に記載の図柄表示手段を構成する実施形態における図柄表示装置７について説明する。図２は、図柄表示装置７における複数の発光体の配置を示す正面図である。図２において、各符号Ａ１乃至Ａ１６、Ｂ１乃至Ｂ１６、Ｃ１乃至Ｃ１６、Ｄ１乃至Ｄ６及びＥ１乃至Ｅ６の各々は、図柄表示装置７において図柄表示を行うための発光体を示しており、各発光体は、棒状セグメント発光素子で構成されている。以下、各発光体をセグメントという。
【００１７】
図柄表示装置７は、複数のセグメントを数字の８形状に配置した図柄表示単位部が、複数方向に、すなわち、行方向（縦方向）及び列方向（横方向）にずらして連結されると共に、互いに隣接する図柄表示単位部同士が重合部分を共用して網目状をなしており、網目状に連結されたセグメントＡ１乃至Ａ１６、Ｂ１乃至Ｂ１６、Ｃ１乃至Ｃ１６、Ｄ１乃至Ｄ６及びＥ１乃至Ｅ６により、表示部全体を構成している。
【００１８】
具体的には、例えば、表示部の左側部のセグメントについて説明するならば、セグメントＡ１乃至Ａ７により数字の８形状に配置した１つ（１つ目）の図柄表示単位部が構成され、縦方向にずれて、セグメントＡ４乃至Ａ１０により数字の８形状に配置した２つ目の図柄表示単位部が構成され、さらに縦方向にずれて、セグメントＡ７乃至Ａ１３により数字の８形状に配置した３つ目の図柄表示単位部が構成され、さらにまた縦方向にずれて、セグメントＡ１０乃至Ａ１６により数字の８形状に配置した４つ目の図柄表示単位部が構成されている。
【００１９】
また、前記の数字の８形状に配置したセグメントＡ１乃至Ａ７に対して、横方向にずれて、セグメントＤ１、Ａ３、Ｂ２、Ｄ２、Ａ６、Ｂ５、Ｄ３により数字の８形状に配置した１つ（横方向における２つ目）の図柄表示単位部が構成され、さらに横方向にずれて、セグメントＢ１乃至Ｂ７により数字の８形状に配置した横方向における３つ目の図柄表示単位部が構成され、さらにまた横方向にずれて、セグメントＥ１、Ｂ３、Ｃ２、Ｅ２、Ｂ６、Ｃ５、Ｅ３により数字の８形状に配置した横方向における４つ目の図柄表示単位部が構成され、さらに横方向にずれて、セグメントＣ１０乃至Ｃ７により数字の８形状に配置した横方向５つ目の図柄表示単位部が構成されている。
【００２０】
この実施形態では、表示部全体として、図柄表示単位部が縦方向に４個分、横方向に５個分の計２０個分ある。また、縦方向に連結される（上下に隣り合う）図柄表示単位部同士にあっては、上側に配置された図柄表示単位部における数字の８形状の下半分の部分と、下側に配置された表示単位部における数字の８形状の上半分の部分とが重合されて重合部分を共用している。即ち、図２において、一例として、上側に配置された表示単位部（セグメントＡ１乃至Ａ７）における数字の８形状の下半分の部分と、下側に配置された図柄表示単位部（セグメントＡ４乃至Ａ１０）を構成する数字の８の上半分の部分とが重合されており、重合部分であるセグメントＡ４，Ａ５，Ａ６，Ａ７を図柄表示単位部（セグメントＡ１乃至Ａ７）と図柄表示単位部（セグメントＡ４乃至Ａ１０）とで共用している。
【００２１】
また、横方向に連結される（左右に隣り合う）図柄表示単位部同士にあっては、隣接する側部の２つのセグメントが重合されて重合部分を共用している。即ち、図２において、一例として、左側に配置された図柄表示単位部（セグメントＡ１乃至Ａ７）における右側部と、右側に配置された図柄表示単位部（セグメントＤ１、Ａ３、Ｂ２、Ｄ２、Ａ６、Ｂ５、Ｄ３）の左側部とが重合されており、重合部分であるセグメントＡ３及びＡ６を図柄表示単位部（セグメントＡ１乃至Ａ７）と図柄表示単位部（セグメントＤ１、Ａ３、Ｂ２、Ｄ２、Ａ６、Ｂ５、Ｄ３）とで共用している。
【００２２】
以上のように構成された図柄表示装置７における具体的な図柄表示態様について説明する。図柄表示装置７は、抽選手段による抽選結果を図柄の表示態様によって報知する遊技機に適用されるものである。以下の説明では、遊技機の一態様として、図示しない始動口への打球の入賞に起因して（始動口センサの検出信号に起因して）、大当り判定用カウンタの値を取得し（大当り判定用乱数を取得し）（抽選手段）、大当り判定用カウンタの値の取得に対応して図柄（特別図柄）の変動を行い、取得した大当り判定用カウンタの値の値が当りの場合は、変動している図柄を大当り図柄の組合せで停止させる一方、取得した大当り判定用カウンタの値の値が外れの場合は、変動している図柄を外れ図柄の組合せで停止させる遊技機、所謂、第１種のパチンコ遊技機に適用した例で説明する。
【００２３】
図３は、図柄表示装置７において、上述のパチンコ遊技機において抽選手段による抽選結果を報知するための特別図柄表示部を示す図である。実施形態においては、特別図柄表示部は左特別図柄表示部１５、中特別図柄表示部１６及び右特別図柄表示部１７の３つが設けられている。左特別図柄表示部１５は図２におけるセグメントＡ１乃至Ａ１６で構成され、中特別図柄表示部１６は図２におけるセグメントＢ１乃至Ｂ１６、右特別図柄表示部１７は図２におけるセグメントＣ１乃至Ｃ１６で構成される。
【００２４】
また、左、中、右特別図柄部１５，１６，１７において確定停止される特別図柄の表示位置は、縦方向で２番目に相当する図柄表示単位部に設定されている。即ち、左特別図柄表示部１５では、セグメントＡ４〜Ａ１０により構成される図柄表示単位部、中特別図柄表示部１６では、セグメントＢ４〜Ｂ１０により構成される図柄表示単位部、右特別図柄表示部１７では、セグメントＣ４〜Ｃ１０により構成される図柄表示単位部となる。
【００２５】
また、抽選手段による抽選結果、即ち、取得した大当り判定用カウンタの値の値が当りの場合は、変動している特別図柄を大当り図柄の組合せ（左、中、右特別図柄とも同一の図柄）で停止表示し、取得した大当り判定用カウンタの値の値が外れの場合は、変動している図柄を大当り図柄の組合せ以外の外れ図柄の組合せで停止させる。
【００２６】
特別図柄の変動は、変動開始から左、中、右特別図柄共に縦方向にスクロール変動する。変動開始から所定時間が経過すると、左特別図柄が一時停止し、次いで左特別図柄の一時停止から所定時間経過すると、中特別図柄が一時停止する。この時、一時停止した左特別図柄と中特別図柄とが同一図柄となった場合にはリーチ発生となる。
【００２７】
図４乃至図６は、図柄表示装置７のリーチ発生時における図柄変動の一表示態様を示す図である。まず、図４（ａ）では、一時停止した左特別図柄と中特別図柄とが同一図柄（この例では、左中共に「５」）となり、リーチ発生となったことを示している。なお、右特別図柄はまだスクロール変動中である。次いで図４（ｂ）では、リーチ発生に伴って、一時停止していた左特別図柄「５」が１セグメント分下に移動する。右特別図柄はスクロール変動中である。次に、図４（ｃ）に示すように、左特別図柄「５」がさらに１セグメント分下に移動し、同時に一時停止していた中特別図柄「５」が１セグメント分上に移動する。右特別図柄はスクロール変動中である。
【００２８】
次いで、図４（ｄ）に示すように、左特別図柄「５」が今度は１セグメント分横方向右に移動し、これと同時に、中特別図柄「５」が１セグメント分横方向左に移動する。右特別図柄はスクロール変動中である。この結果、移動表示される左特別図柄「５」と中特別図柄「５」とがセグメントＤライン上で一時的に上下に並ぶ。
【００２９】
次に、図５（ａ）に示すように、左特別図柄「５」が１セグメント分さらに右に移動し、これと同時に、中特別図柄「５」が１セグメント分さらに左に移動する。右特別図柄はスクロール変動中である。次に、図５（ｂ）に示すように、左特別図柄「５」が１セグメント分下に移動し、同時に中特別図柄「５」が１セグメント分上に移動する。右特別図柄はスクロール変動中である。なお、この時、左特別図柄「５」と中特別図柄「５」とは、縦方向において１セグメント分表示位置がずれている。次に、図５（ｃ）に示すように、左特別図柄「５」が１セグメント分右に移動し、同時に中特別図柄「５」が１セグメント分左に移動する。右特別図柄はスクロール変動中である。この結果、図５（ｃ）に示すように、上側に表示されている左特別図柄「５」の下半分の部分と、下側に表示されている中特別図柄「５」の上半分の部分とが重合される。従って、左特別図柄及び中特別図柄の移動表示を見ている遊技者に左特別図柄「５」と中特別図柄「５」とが合体したような印象を与える。
【００３０】
次に、図５（ｄ）に示すように、左特別図柄「５」と中特別図柄「５」による重合表示から、１つの図柄「５」が２倍の大きさに拡大表示される。右特別図柄はスクロール変動中である。即ち、図２において、セグメントＡ４、Ｄ２、Ａ５、Ａ８、Ｂ５、Ｂ８、Ａ１０、Ｄ４、Ａ１１、Ａ１４、Ｂ１１、Ｂ１４、Ａ１６、Ｄ６が、２倍角の拡大表示における図柄表示単位部となる。図柄「５」が拡大表示される場合、セグメントＡ４、Ｄ２、Ａ５、Ａ８、Ａ１０、Ｄ４、Ｂ１１、Ｂ１４、Ａ１６、Ｄ６が、発光される。従って、遊技者に左特別図柄「５」と中特別図柄「５」が合体して２倍の大きさの図柄「５」に変化したように視認される。
【００３１】
次に、図６（ａ）に示すように、図柄「５」を拡大表示しつつ、右特別図柄の（縦方向の）スクロール変動を続ける。そして、大当りとなる場合には、拡大表示されている図柄「５」と同じ図柄「５」が縦方向上から３番目の表示位置（セグメントＣ７乃至Ｃ１３により構成される図柄表示単位部）に来た時まで右特別図柄の（縦方向の）スクロール変動を続ける。次いで、図６（ａ）に示すように、図柄「５」を拡大表示しつつ、右特別図柄「５」を縦方向上から３番目の表示位置に表示しつつ、次の図柄「６」を縦方向上から２番目の表示位置（セグメントＣ４乃至Ｃ１０により構成される図柄表示単位部）に移動表示する。この結果、図６（ｂ）に示すように、上側に表示されている右特別図柄「６」の下半分の部分と、下側に表示されている右特別図柄「５」の上半分の部分とが重合される。従って、遊技者には、右特別図柄「５」に対して上方から右特別図柄「６」が衝突して合体したような印象を与える。
【００３２】
次いで、図６（ｃ）に示すように、表示部全体の左側に図柄「５」を拡大表示しつつ、右特別図柄「５」と右特別図柄「６」による重合表示から、１つの図柄「５」が２倍の大きさに拡大表示される。この結果、表示部全体の左側に図柄「５」が拡大表示され、表示部全体の右側に図柄「５」が拡大表示され、拡大表示された左右の図柄が「５５」で揃う。即ち、図２において、セグメントＥ２、Ｃ４、Ｂ６、Ｂ９、Ｃ６、Ｃ９、Ｅ４、Ｃ１０、Ｂ１２、Ｂ１５、Ｃ１２、Ｃ１５、Ｅ６、Ｃ１６が、表示部全体の右側における２倍角の拡大表示における図柄表示単位部となる。図柄「５」が拡大表示される場合、セグメントＥ２、Ｃ４、Ｂ６、Ｂ９、Ｅ４、Ｃ１０、Ｃ１２、Ｃ１５、Ｅ６、Ｃ１６が、発光される。従って、遊技者に右特別図柄「５」と右特別図柄「６」が衝突により合体して２倍の大きさの図柄「５」に変化したように視認される。
【００３３】
次いで、図６（ｄ）に示すように、セグメントＡ４〜Ａ１０により構成される図柄表示単位部に左特別図柄「５」、セグメントＢ４〜Ｂ１０により構成される図柄表示単位部に中特別図柄「５」、セグメントＣ４〜Ｃ１０により構成される図柄表示単位部に右特別図柄「５」を停止表示し、特別図柄の変動が終了し、大当り図柄の組合せ「５，５，５」が確定する。
【００３４】
以上に説明したように、図柄表示装置７は、複数のセグメント（発光体）を数字の８形状に配置した図柄表示単位部が、行方向及び列方向にずらして連結されると共に、互いに隣接する図柄表示単位部同士が重合部分を共用して網目状をなしている構成であるので、図柄のスクロール方向を縦横に切り換えることができる。また、例えば、液晶表示装置を用いた図柄表示装置に比して極めて安価に製造できるため、遊技機の製造コストを低減できる。また、図柄表示単位部同士が縦横に連結されているため、図柄の拡大表示が可能となり、例えば、リーチ状態等の特定の表示態様時に、図柄の視認性を向上させ、演出効果を高めることができる。
【００３５】
また、上述した図柄変動の表示態様では、図６（ｃ）に示す拡大表示された左右の図柄が「５５」で揃う表示態様から、図６（ｄ）に示す左、中、右特別図柄が大当り図柄「５，５，５」で確定停止する図柄の変動態様として説明したが、確変図柄で大当りとなる遊技内容を採用しているものにおいて、図６（ｃ）に示す拡大表示された左右の図柄が非確変図柄（例えば「４，４」）で揃っている場合、さらに発展させ、拡大表示された左右の図柄を縦方向にスクロール変動させて全回転リーチを行う変動態様とすることもできる。なお、図７は、図６（ｃ）に示す拡大表示された左右の図柄から全回転リーチを行う変動態様に移行する変動態様を示す図である。全回転リーチを行って確変図柄｛例えば、図６（ｃ）拡大表示された図柄「５，５」｝で停止させ、左、中、右特別図柄が確変大当り図柄「５，５，５」｛図６（ｄ）参照｝で確定停止する。
【００３６】
その他、隣接する図柄表示単位部を協働して表示状態として１つの図柄表示単位部で表現できる図柄以外の形状の装飾図柄を表示する構成とすることがある。図８は、隣接する図柄表示単位部を協働して表示状態として表現する装飾図柄の一表示態様を示す図である。図８では、あたかも、稲妻が光っている様子を表現している。この構成によれば、隣接する図柄表示単位部を協働して表示状態として図柄表示単位部で表現できる図柄とは異なる異形の図柄を表現できるため、例えば、予告表示（大当り予告或いは確変予告）等を行う場合に、表現力を向上させ、演出効果を高めることができる。
【００３７】
また、表示されている図柄を１セグメント分左または右に移動させ、同時に１セグメント分上または下に移動させると、斜め上または斜め下に図柄がスクロールするように表示することができる。
【００３８】
なお、上述した実施形態では、遊技機の一形態としてパチンコ遊技機を用いて説明しているが、本発明は、パチンコ遊技機に限らず、例えば、メダル式のスロットマシンであってもよく、即ち、抽選手段による抽選結果を図柄の表示態様によって報知する図柄表示手段を備えた遊技機であれば、すべて対象となる。
【００３９】
【発明の効果】
請求項１に記載の構成によれば、図柄表示手段は、複数の発光体を数字の８形状に配置した図柄表示単位部が、複数方向にずらして連結されると共に、互いに隣接する図柄表示単位部同士が重合部分を共用しているので、図柄のスクロール方向を縦横に切り換えることができ、図柄の変動の表示態様を向上させるこができる。また、液晶表示装置を用いた図柄表示装置に比して極めて安価に製造できるため、遊技機の製造コストを低減できる。
【図面の簡単な説明】
【図１】本発明の一実施形態に係る遊技機に配備された制御系統の要部ブロック図
【図２】同上の実施形態の図柄表示手段としての図柄表示装置における複数の発光体の配置を示す正面図
【図３】同上の図柄表示装置において抽選手段による抽選結果を報知するための特別図柄表示部を示す図
【図４】同上の図柄表示装置のリーチ発生時における図柄変動の一表示態様の前半部分を示す図
【図５】図４のつづきである図柄表示装置のリーチ発生時における図柄変動の一表示態様の中間部分を示す図
【図６】図５のつづきである図柄表示装置のリーチ発生時における図柄変動の一表示態様の後半部分を示す図
【図７】図６（ｃ）に示す拡大表示された左右の図柄から全回転リーチを行う変動態様に移行する変動態様を示す図
【図８】隣接する図柄表示単位部を協働して表示状態として表現する装飾図柄の一表示態様を示す図
【符号の説明】
１  電源装置
２  メイン制御装置
３  サブ制御装置
４  表示制御装置
５  賞球制御装置
６  発射制御装置
７  液晶表示装置
８  払出モータ
９  発射モータ
１０  大入賞口ソレノイド
１１  ランプ
１２  スピーカ
１３  タッチセンサ
１４  入賞検出器
１５  左特別図柄
１６  中特別図柄
１７  右特別図柄
【図１】
2004242750.tif 000003
【図２】
2004242750.tif 000004
【図３】
2004242750.tif 000005
【図４】
2004242750.tif 000006
【図５】
2004242750.tif 000007
【図６】
2004242750.tif 000008
【図７】
2004242750.tif 000009
【図８】
2004242750.tif 000010